(57)【要約】【課題】封水筒が保持部材に適切に取り付けられているか容易に認識できる排水トラップを提供する。【解決手段】排水トラップ１００は、排水を貯留する椀１０１、凹部１０３ｅを備え排水を貯留部に排出する封水筒１０３、凸部１０４ｄを備え椀と封水筒を保持する保持部材１０４、突起部１０５ｃを備え排水を封水筒に排水する目皿１０５、椀の縁と封水筒の縁が密着し封水筒が保持部材の正規の位置に取り付けられた状態で封水筒を固定する固定部材（挟持部１０４Ｋ）を有する。封水筒は、保持部材の正規の位置に取り付けられていると、凹部が保持部材の凸部に挿入された位置から離間して露出する。目皿は、突起部が封水筒の凹部に挿入されていると封水筒が保持部材の正規の位置に取り付けられていることを示し、突起部が封水筒の凹部に挿入されていないと封水筒が保持部材の正規の位置に取り付けられていないことを示す。【選択図】図６
2018071307.tif 000002
【特許請求の範囲】
【請求項１】
排水を貯留しつつ外部に排出する貯留部を備えた椀と、
前記椀の内方に配置され、外側面に凹部を備え、前記排水を前記貯留部に向かって排出する封水筒と、
前記椀および前記封水筒の外方に配置され、内側面から内方に向かって突出し前記封水筒の前記凹部に挿入自在な凸部を備え、前記椀の縁と前記封水筒の縁とを保持する保持部材と、
前記封水筒の上方に配置され、下方に向かって突出した突起部を備え、前記排水を前記封水筒に向かって排水する目皿と、
前記椀の前記縁と前記封水筒の前記縁とが密着し前記封水筒が前記保持部材に対して正規の位置に取り付けられた状態において前記封水筒を固定する固定部材と、
を有し、
前記封水筒は、
前記保持部材に対して正規の位置に取り付けられている場合に、前記凹部の少なくとも一部が前記保持部材の前記凸部に挿入された位置から離間して露出し、
前記目皿は、
前記突起部が前記封水筒の前記凹部に挿入されている場合に、前記封水筒が前記保持部材に対して正規の位置に取り付けられていることを表す一の情報を提示し、
前記突起部が前記封水筒の前記凹部に挿入されていない場合に、前記封水筒が前記保持部材に対して正規の位置に取り付けられていないことを表す他の情報を提示する、
排水トラップ。
【請求項２】
前記一の情報は、前記保持部材の第１の基準位置と、前記目皿の第２の基準位置と、が上下方向に沿って相対的に一致することによって提示され、
前記他の情報は、前記第１の基準位置と、前記第２の基準位置と、が上下方向に沿って相対的にずれることによって提示される、
請求項１に記載の排水トラップ。
【請求項３】
前記第１の基準位置は、前記保持部材の上面であって、
前記第２の基準位置は、前記目皿の上面である、
請求項２に記載の排水トラップ。
【請求項４】
前記固定部材は、
前記保持部材の前記凸部と、
前記保持部材の前記凸部よりも下方に配置され、前記保持部材の内側面から内方に向かって突出し、前記保持部材の前記凸部との間において前記椀の前記縁と前記封水筒の前記縁とを上下方向に沿って挟み込む突出部と、によって構成される、
請求項１〜３のいずれか１項に記載の排水トラップ。
【請求項５】
前記固定部材は、
前記封水筒の外側面に形成されたネジ山と、
前記保持部材の内側面に形成されたネジ溝と、によって構成される、
請求項１〜３のいずれか１項に記載の排水トラップ。
【請求項６】
前記椀の内方に配置され、洗濯機から排出された前記排水を前記貯留部に向かって排出する流路筒を、さらに有し、
前記封水筒は、前記流路筒を内方に配置し、少なくとも前記洗濯機から漏洩した前記排水を前記流路筒との間から前記貯留部に向かって排出する、
請求項１〜５のいずれか１項に記載の排水トラップ。
【発明の詳細な説明】
【技術分野】
【０００１】
本発明は、排水トラップに関する。
【背景技術】
【０００２】
従来から、例えば、洗濯機を載置する防水パンに取り付けられ、洗濯機から排出される排水を排水管に排出する排水トラップがある（例えば、特許文献１を参照。）。
【０００３】
排水トラップは、椀（封水椀）、封水筒（防臭筒）、保持部材（フランジ部材）、および目皿（目皿部材）を含んでいる。椀は、排水を貯留しつつ外部に排出する貯留部を備えている。封水筒は、椀の内方に配置され、外側面に凹部を備え、排水を貯留部に向かって排出する。保持部材は、椀および封水筒の外方に配置され、内側面から内方に向かって突出し封水筒の凹部に挿入自在な凸部を備え、椀の上縁と封水筒の縁を保持する。目皿は、封水筒の上方に配置され、防水パンに溜った漏水を封水筒に向かって排水するとともに、封水筒への異物の流入を防止する。
【０００４】
作業者は、上記の各々の構成部材を組み立てて、排水トラップを完成させる。作業者は、封水筒の凹部を保持部材の凸部に合わせるようにして、封水筒を保持部材に挿入した後、封水筒を保持部材の内側面に沿って回転させる。この状態において、椀の上縁と封水筒の縁とがパッキンを介して密着した状態において、封水筒が保持部材に保持される。さらに、作業者は、目皿を保持部材に挿入しつつ、封水筒に被せるようにして取り付ける。
【先行技術文献】
【特許文献】
【０００５】
【特許文献１】特開２０１３−２４１７７１号公報
【発明の概要】
【発明が解決しようとする課題】
【０００６】
特許文献１の構成では、作業者は、封水筒の凹部を保持部材の凸部に挿入しているだけの状態であって、封水筒が保持部材に対して適切に取り付けられていない場合にも、目皿を保持部材に挿入することができる。このような場合、作業者は、椀の上縁と封水筒の縁とがパッキンを介して密着していないことに気が付かないまま作業を終えてしまう。すなわち、作業者は、封水筒を保持部材に対して適切に取り付けられていなくても、保持部材の上面の位置（高さ）と目皿の上面の位置（高さ）が一致し、目皿が保持部材に対していわゆる面一の状態になれば、排水トラップの施工状態について違和感を受けることがない。この結果、排水管の内部の臭気が、椀の上縁と封水筒の縁との隙間から逆流して、洗濯機が配置されている室内等に漏れ出してしまう虞がある。
【０００７】
本発明は、上記の課題を解決するためになされたものであり、封水筒が保持部材に対して適切に取り付けられているか否かを容易に認識させることができる排水トラップの提供を目的とする。
【課題を解決するための手段】
【０００８】
上記目的を達成する本発明にかかる排水トラップは、排水を貯留しつつ外部に排出する貯留部を備えた椀と、前記椀の内方に配置され、外側面に凹部を備え、前記排水を前記貯留部に向かって排出する封水筒と、前記椀および前記封水筒の外方に配置され、内側面から内方に向かって突出し前記封水筒の前記凹部に挿入自在な凸部を備え、前記椀の縁と前記封水筒の縁とを保持する保持部材と、前記封水筒の上方に配置され、下方に向かって突出した突起部を備え、前記排水を前記封水筒に向かって排水する目皿と、前記椀の前記縁と前記封水筒の前記縁とが密着し前記封水筒が前記保持部材に対して正規の位置に取り付けられた状態において前記封水筒を固定する固定部材と、を有する。前記封水筒は、前記保持部材に対して正規の位置に取り付けられている場合に、前記凹部の少なくとも一部が前記保持部材の前記凸部に挿入された位置から離間して露出する。前記目皿は、前記突起部が前記封水筒の前記凹部に挿入されている場合に、前記封水筒が前記保持部材に対して正規の位置に取り付けられていることを表す一の情報を提示し、前記突起部が前記封水筒の前記凹部に挿入されていない場合に、前記封水筒が前記保持部材に対して正規の位置に取り付けられていないことを表す他の情報を提示する。
【発明の効果】
【０００９】
上記のように構成した排水トラップによれば、封水筒が保持部材の正規の位置に取り付けられている場合と取り付けられていない場合によって、封水筒に取り付ける目皿に異なる情報を提示させることができる。したがって、排水トラップは、封水筒が保持部材に対して適切に取り付けられているか否かを容易に認識させることができる。
【図面の簡単な説明】
【００１０】
【図１】実施形態の排水トラップを示す側面図である。
【図２】図１の排水トラップを示す断面図である。
【図３】図１の排水トラップを分解して示す側面図である。
【図４】排水トラップにおける保持部材に対する封水筒の挿入方法を模式的に示す図である。
【図５】排水トラップにおける保持部材に対する封水筒の固定方法を模式的に示す図である。
【図６】排水トラップにおける封水筒に対する目皿の取り付け方法を模式的に示す図である。
【図７】排水トラップにおける封水筒に対する目皿の取り付けが不良となる場合を模式的に示す図である。
【発明を実施するための形態】
【００１１】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１２】
図１は、実施形態の排水トラップ１００を示す側面図である。図２は、図１の排水トラップ１００を示す断面図である。図３は、図１の排水トラップ１００を分解して示す側面図である。図４は、排水トラップ１００における保持部材１０４に対する封水筒１０３の挿入方法を模式的に示す図である。図５は、排水トラップ１００における保持部材１０４に対する封水筒１０３の固定方法を模式的に示す図である。図６は、排水トラップ１００における封水筒１０３に対する目皿１０５の取り付け方法を模式的に示す図である。
【００１３】
排水トラップ１００は、概説すれば、図１〜図６に示すように、排水を貯留しつつ外部に排出する貯留部１０１ｅを備えた椀１０１と、椀１０１の内方に配置され、外側面１０３ｄに凹部１０３ｅを備え、排水を貯留部１０１ｅに向かって排出する封水筒１０３と、椀１０１および封水筒１０３の外方に配置され、内側面１０４ｃから内方に向かって突出し封水筒１０３の凹部１０３ｅに挿入自在な凸部１０４ｄを備え、椀１０１の縁１０１ａと封水筒１０３の縁１０３ｃとを保持する保持部材１０４と、封水筒１０３の上方に配置され、下方に向かって突出した突起部１０５ｃを備え、排水を封水筒１０３に向かって排水する目皿１０５と、椀１０１の縁１０１ａと封水筒１０３の縁１０３ｃとが密着し封水筒１０３が保持部材１０４に対して正規の位置に取り付けられた状態において封水筒１０３を固定する固定部材（例えば挟持部１０４Ｋ）と、を有する。
【００１４】
ここで、排水トラップ１００において、封水筒１０３は、保持部材１０４に対して正規の位置に取り付けられている場合に、凹部１０３ｅの少なくとも一部が保持部材１０４の凸部１０４ｄに挿入された位置から離間して露出する。目皿１０５は、突起部１０５ｃが封水筒１０３の凹部１０３ｅに挿入されている場合に、封水筒１０３が保持部材１０４に対して正規の位置に取り付けられていることを表す一の情報を提示し、突起部１０５ｃが封水筒１０３の凹部１０３ｅに挿入されていない場合に、封水筒１０３が保持部材１０４に対して正規の位置に取り付けられていないことを表す他の情報を提示する。
【００１５】
排水トラップ１００は、上記の椀１０１、封水筒１０３、保持部材１０４、目皿１０５、および挟持部１０４Ｋに加えて、図２および図３に示すように、椀１０１の内方に配置され洗濯機から排出された排水を貯留部１０１ｅに向かって排出する流路筒１０２を有する。ここで、封水筒１０３は、流路筒１０２を内方に配置し、少なくとも洗濯機から漏洩した排水を流路筒１０２との間から貯留部１０１ｅに向かって排出する。排水トラップ１００は、その他に、図３に示すように、椀１０１と流路筒１０２と封水筒１０３等を収容する筐体１０６、洗濯機から排出された排水を流路筒１０２に向かって排出する継手１０７、封水筒１０３と保持部材１０４との隙間を密封する第１パッキン１０８、および保持部材１０４と筐体１０６との間を密封する第２パッキン１０９を有する。
【００１６】
図１〜図６を参照しつつ、排水トラップ１００の構成部材（椀１０１〜第２パッキン１０９）を説明する。
【００１７】
椀１０１は、図１〜図３に示すように、円形状の縁１０１ａを備えた天面が開口し、かつ、底面１０１ｂが形成された下方が閉塞した椀形状からなる。椀１０１の側面１０１ｃには、排水を排出する開口１０１ｄが複数備えられている。各々の開口１０１ｄは、水平方向に沿って細長い長方形状からなり、側面１０１ｃに沿って同一の高さで形成されている。椀１０１は、底面１０１ｂから開口１０１ｄの下端までの領域に、排水を貯留しつつ外部に排出する貯留部１０１ｅを備えている。貯留部１０１ｅに貯留された排水が、開口１０１ｄの下端の水位を超えると、開口１０１ｄから筐体１０６の内部に排出される。
【００１８】
流路筒１０２は、図２および図３に示すように、椀１０１の内方に配置されている。流路筒１０２は、円筒形状に形成され、上端１０２ａから下端１０２ｂにかけて貫通している。下端１０２ｂの径方向外方には、円盤状の縁１０２ｃが備えられている。縁１０２ｃの下方には、下方に向かって突出した矩形状の脚１０２ｄが複数備えられている。各々の脚１０２ｄは、椀１０１の底面１０１ｂに接触した状態において、流路筒１０２の下端１０２ｂを椀１０１の底面１０１ｂから離間させている。縁１０２ｃの上方には、径方向内方に向かって傾斜した三角形状の支柱１０２ｅが複数備えられている。各々の支柱１０２ｅは、封水筒１０３の下端１０３ｂに接触した状態において、封水筒１０３の下端１０３ｂを流路筒１０２の縁１０２ｃから上方に離間させている。流路筒１０２は、洗濯機から排出された排水を、上端１０２ａから下端１０２ｂを介して椀１０１の貯留部１０１ｅに排出する。
【００１９】
封水筒１０３は、図２〜図６に示すように、椀１０１の内方に配置され、かつ、流路筒１０２を内方に配置している。封水筒１０３は、椀１０１と流路筒１０２との間の空間を仕切っている。封水筒１０３は、円筒形状に形成され、上端１０３ａから下端１０３ｂにかけて貫通している。上端１０３ａの径方向外方には、円盤状の縁１０３ｃが備えられている。縁１０３ｃの外側面１０３ｄには、径方向内方に向かって窪んだ凹部１０３ｅを９０°毎に４つ備えている。各々の凹部１０３ｅは、水平方向に沿って細長い長方形状からなる。封水筒１０３は、少なくとも洗濯機から漏洩した排水を、上端１０３ａから下端１０３ｂに至る内周面と封水筒１０３の外周面との隙間から、下端１０３ｂと流路筒１０２の縁１０２ｃとの隙間を介して、椀１０１の貯留部１０１ｅに排出する。
【００２０】
保持部材１０４は、図１〜図６に示すように、椀１０１および封水筒１０３の外方に配置されている。保持部材１０４は、径方向と比較して上下方向に短尺な円筒形状に形成され、上面１０４Ｔに相当する上端１０４ａから下端１０４ｂにかけて貫通している。保持部材１０４の内側面１０４ｃには、径方向内方に向かって突出した凸部１０４ｄを９０°毎に４カ所に備えている。各々の凸部１０４ｄは、上下方向に沿って一対からなり、水平方向に沿って細長い長方形状からなる。各々の凸部１０４ｄは、封水筒１０３の各々の凹部１０３ｅの形状に対応し、凹部１０３ｅに挿入自在である。保持部材１０４の内側面１０４ｃには、保持部材１０４の一対の凸部１０４ｄよりも下方に配置され、保持部材１０４の内側面１０４ｃから径方向内方に向かって突出した円盤形状の内縁１０４ｅ（フランジ面）を備えている。保持部材１０４の外側面の下部には、筐体１０６とネジ留めするためのネジ山が備えられている。上端１０４ａの径方向外方には、円盤状の外縁１０４ｆが備えられている。保持部材１０４の内方に対して、上方から下方に向かって目皿１０５を挿入して保持する。
【００２１】
保持部材１０４は、特に図５に示すように、挟持部１０４Ｋとしての機能を備えている。すなわち、挟持部１０４Ｋは、保持部材１０４において、４カ所の凸部１０４ｄおよび内縁１０４ｅの隙間において、椀１０１の縁１０１ａと封水筒１０３の縁１０３ｃとを密着させた状態において挟み込んで固定する。
【００２２】
目皿１０５は、図２、図３および図６に示すように、封水筒１０３の上方に配置され、かつ、保持部材１０４に挿入されている。目皿１０５は、円盤形状に形成されている。目皿１０５は、その上面１０５Ｔの中央部分に、円形状の挿入孔１０５ａを備えている。目皿１０５の挿入孔１０５ａは、流路筒１０２の上部を挿入している。目皿１０５は、挿入孔１０５ａと外周縁との間を横断するスリットを備えている。目皿１０５は、スリットの部分を含めた全体が柔軟性を備えた材料からなる。目皿１０５は、スリット部１０５ｆの部分を、継手１０７の外周面に押し付けて開閉することによって、継手１０７を流路筒１０２から取り外すことなく、保持部材１０４に対して脱着することができる。
【００２３】
目皿１０５は、挿入孔１０５ａを囲むように、複数種類の形状からなる排水孔１０５ｂを複数備えている。目皿１０５の各々の排水孔１０５ｂは、少なくとも洗濯機から漏洩し洗濯機が載置された防水パンに溜った排水を、封水筒１０３に排出する。目皿１０５は、下方に向かって突出した突起部１０５ｃを９０°毎に４つ備えている。目皿１０５の各々の凸部１０４ｄは、封水筒１０３の各々の凹部１０３ｅの形状に対応し、各々の凹部１０３ｅに挿入される。
【００２４】
筐体１０６は、図１〜図３に示すように、円形状の天面１０６ａが開口し、かつ、底面１０６ｂが形成された下方が閉塞した椀形状からなる。筐体１０６の側面１０６ｃには、椀１０１から排出された排水を排水管に排出する円筒形状の排出口１０６ｄが備えられている。筐体１０６の径方向内方には、保持部材１０４のネジ山とネジ留めするためのネジ溝が備えられている。筐体１０６の上部の径方向外方には、円盤状の外縁１０６ｅが備えられている。筐体１０６は、トラップ本体と称され、洗濯機を載置する防水パンに取り付けられる。
【００２５】
継手１０７は、図１〜図３に示すように、円筒形状に形成され、上部１０７ａから下部１０７ｂにかけてＬ字状に屈曲している。上部１０７ａは、洗濯機の排水ホースを挿入する。下部１０７ｂは、流路筒１０２の上端１０２ａに挿入されている。
【００２６】
第１パッキン１０８は、図２および図３に示すように、封水筒１０３の縁１０３ｃと、保持部材１０４の内縁１０４ｅとの間に備えられている。第１パッキン１０８は、リング状に形成され、弾性変形自在である。第１パッキン１０８は、封水筒１０３と保持部材１０４の間を密封する。
【００２７】
第２パッキン１０９は、図１〜図３に示すように、保持部材１０４の外縁１０４ｆと、筐体１０６の外縁１０６ｅとの間に備えられている。第２パッキン１０９は、リング状に形成され径方向外方に凹状の溝を備えたパッキン１０９Ｍと、そのパッキン１０９Ｍの上方に位置し、上面と下面が平らなリング状に形成された樹脂リング１０９Ｎから構成している。樹脂リング１０９Ｎは、いわゆる、スリップリングである。パッキン１０９Ｍの外縁の凹状の溝によって、防水パンに備えられた開口の内縁の被固定部を挟み込む。その状態において、筐体１０６の外縁１０６ｅと保持部材１０４の外縁１０４ｆによって、パッキン１０９Ｍおよび樹脂リング１０９Ｎを介して、防水パンの被固定部を締め込む。この結果、排水トラップ１００は、防水パンに備えられた開口に固定される。
【００２８】
図２を参照しつつ、排水トラップ１００における排水の流路および臭気の遮蔽について説明する。
【００２９】
排水トラップ１００は、洗濯機から排出された排水の流路に対応する第１流路Ｌ１、洗濯機から漏洩した排水の流路に対応する第２流路Ｌ２、および椀１０１の貯留部１０１ｅから排水管に向かって排出する排水の流路に対応する第３流路Ｌ３を有している。第１流路Ｌ１は、排水トラップ１００よりも上流側の流路（例えば洗濯機の排水ホース）を含んでいる。第３流路Ｌ３は、排水トラップ１００よりも下流側の流路（例えば排水管）を含んでいる。
【００３０】
排水トラップ１００は、椀１０１の貯留部１０１ｅが排水を貯留することによって、その上流側の第１流路Ｌ１の通気と、その下流側の第３流路Ｌ３の通気を遮断する。したがって、排水トラップ１００は、第３流路Ｌ３内の臭気が、第１流路Ｌ１を逆流して洗濯機が配置されている室内等に漏れ出すことを防止できる。
【００３１】
排水トラップ１００は、封水筒１０３が椀１０１の貯留部１０１ｅにおいて流路筒１０２と椀１０１の間の領域を仕切ることによって、その上流側の第２流路Ｌ２の通気と、その下流側の第３流路Ｌ３の通気を遮断する。したがって、排水トラップ１００は、第３流路Ｌ３内の臭気が、第２流路Ｌ２を逆流して洗濯機が配置されている室内等に漏れ出すことを防止できる。
【００３２】
図４〜図６等を参照しつつ、排水トラップ１００の組み立て方法の要部を説明する。
【００３３】
図４に示すように、作業者は、封水筒１０３の凹部１０３ｅを保持部材１０４の凸部１０４ｄに合わせるようにして、封水筒１０３を保持部材１０４に取り付ける。図４（Ａ）は上面図であって、図４（Ｂ）は側面図である。封水筒１０３の凹部１０３ｅが、保持部材１０４の凸部１０４ｄを通り抜けて凸部１０４ｄの下方に位置する状態になる。なお。図４では、椀１０１や流路筒１０２等の図示を省略している。
【００３４】
図５に示すように、作業者は、封水筒１０３を保持部材１０４の内側面１０４ｃに沿って時計回りに回転させる。図５（Ａ）は上面図であって、図５（Ｂ）は側面図である。保持部材１０４は、複数の凸部１０４ｄおよび内縁１０４ｅ（フランジ面）の隙間において、図３に示す椀１０１の縁１０１ａと封水筒１０３の縁１０３ｃとを密着させつつ挟み込んで固定した状態となる。この状態において、封水筒１０３の凹部１０３ｅは、保持部材１０４の凸部１０４ｄから離間して露出し、封水筒１０３が保持部材１０４に対して正規の位置に取り付けられた状態（図３に示す椀１０１の縁１０１ａと封水筒１０３の縁１０３ｃとが密着した状態）になる。椀１０１の縁１０１ａと封水筒１０３の縁１０３ｃとが密着していると、図２に示す第３流路Ｌ３内の臭気が椀１０１の縁１０１ａと封水筒１０３の縁１０３ｃとの隙間から逆流して洗濯機が配置されている室内等に漏れ出すことを防止できる。なお。図５では、図４と同様に、椀１０１や流路筒１０２等の図示を省略している。
【００３５】
図６に示すように、作業者は、目皿１０５の突起部１０５ｃを封水筒１０３の凹部１０３ｅに挿入するようにして、目皿１０５を保持部材１０４に挿入しつつ封水筒１０３に取り付ける。図６（Ａ）は上面図であって、図６（Ｂ）は側面図である。第１の基準位置Ｐ１である保持部材１０４の上面１０４Ｔと、第２の基準位置Ｐ２である目皿１０５の上面１０５Ｔが上下方向に沿って一致し、目皿１０５が保持部材１０４に対していわゆる面一の状態になる。したがって、作業者は、その状態について、違和感を受けることがない。なお。図６では、図４および図５と同様に、椀１０１や流路筒１０２等の図示を省略している。
【００３６】
図７に示すように、仮に、封水筒１０３の凹部１０３ｅが保持部材１０４の凸部１０４ｄに挿入されているだけの状態の場合、作業者は、目皿１０５の突起部１０５ｃを封水筒１０３の凹部１０３ｅに挿入することができない。この場合、第１の基準位置Ｐ１である保持部材１０４の上面１０４Ｔと、第２の基準位置Ｐ２である目皿１０５の上面１０５Ｔが上下方向に沿って一致せず、目皿１０５が保持部材１０４から浮き上がった状態になる。したがって、作業者は、その状態について、違和感を受ける。すなわち、作業者は、何らかの問題（封水筒１０３が保持部材１０４に対して正規の位置に取り付けられていない）が発生していることを直感的に感じて、作業をやり直すことができる。
【００３７】
上記の実施形態の排水トラップ１００によれば、以下の作用効果を奏する。
【００３８】
排水トラップ１００において、封水筒１０３は、保持部材１０４に対して正規の位置に取り付けられている場合に、凹部１０３ｅの少なくとも一部が保持部材１０４の凸部１０４ｄに挿入された位置から離間して露出する。目皿１０５は、突起部１０５ｃが封水筒１０３の凹部１０３ｅに挿入されている場合に、封水筒１０３が保持部材１０４に対して正規の位置に取り付けられていることを表す一の情報を提示し、突起部１０５ｃが封水筒１０３の凹部１０３ｅに挿入されていない場合に、封水筒１０３が保持部材１０４に対して正規の位置に取り付けられていないことを表す他の情報を提示する。
【００３９】
かかる排水トラップ１００によれば、封水筒１０３が保持部材１０４の正規の位置に取り付けられている場合と取り付けられていない場合によって、封水筒１０３に取り付ける目皿１０５に異なる情報を提示させることができる。したがって、排水トラップ１００は、封水筒１０３が保持部材１０４に対して適切に取り付けられているか否かを容易に認識させることができる。
【００４０】
排水トラップ１００において、一の情報は、保持部材１０４の第１の基準位置Ｐ１と、目皿１０５の第２の基準位置Ｐ２と、が上下方向に沿って相対的に一致することによって提示され、他の情報は、第１の基準位置Ｐ１と、第２の基準位置Ｐ２と、が上下方向に沿って相対的にずれることによって提示されることが好ましい。
【００４１】
かかる排水トラップ１００によれば、一の情報および他の情報を、それぞれ明確に提示することができる。
【００４２】
排水トラップ１００において、第１の基準位置Ｐ１は、保持部材１０４の上面１０４Ｔであって、第２の基準位置Ｐ２は、目皿１０５の上面１０５Ｔであることが好ましい。
【００４３】
かかる排水トラップ１００によれば、第１の基準位置Ｐ１および第２の基準位置Ｐ２を、それぞれ明確に認識することができる。特に、排水トラップ１００を施工する作業者は、目皿１０５が保持部材１０４から浮き上がってしまう場合に、何らかの問題（封水筒１０３が保持部材１０４に対して正規の位置に取り付けられていない）が発生していることを直感的に感じることができる。
【００４４】
排水トラップ１００において、挟持部１０４Ｋは、保持部材１０４の凸部１０４ｄと、保持部材１０４の凸部１０４ｄよりも下方に配置され、保持部材１０４の内側面１０４ｃから内方に向かって突出し、保持部材１０４の凸部１０４ｄとの間において椀１０１の縁１０１ａと封水筒１０３の縁１０３ｃとを上下方向に沿って挟み込む突出部（内縁）と、によって構成されることが好ましい。
【００４５】
かかる排水トラップ１００によれば、保持部材１０４の凸部１０４ｄおよび突出部（内縁）からなる非常に簡便な構成によって、挟持部１０４Ｋを構成することができる。
【００４６】
排水トラップ１００において、椀１０１の内方に配置され、洗濯機から排出された排水を貯留部１０１ｅに向かって排出する流路筒１０２を、さらに有し、封水筒１０３は、流路筒１０２を内方に配置し、少なくとも洗濯機から漏洩した排水を流路筒１０２との間から貯留部１０１ｅに向かって排出することが好ましい。
【００４７】
かかる排水トラップ１００によれば、洗濯機の排水トラップとして適用することができる。なお、封水筒１０３は、例えば、洗濯機に供給する水道水が給水管から漏れた場合、その水道水を排水として排出することもできる。
【００４８】
以上、本発明における好適な実施形態を説明したが、これらは本発明を説明するための例示であり、本発明の範囲をこれらの実施形態に限定する趣旨ではない。本発明は、特許請求の範囲に記載された構成に基づき改変が可能であり、それらも本発明の範疇である。
【００４９】
例えば、実施形態では、排水トラップ１００を、洗濯機の排水用に用いる構成として説明したが、このような構成に限定されることはない。排水トラップ１００は、例えば、風呂の洗い場の排水用に用いる構成としてもよい。このような場合、排水トラップ１００は、流路筒１０２が不要である。
【００５０】
また、実施形態では、封水筒１０３は、保持部材１０４に対して正規の位置に取り付けられている場合に、凹部１０３ｅの全てが保持部材１０４の凸部１０４ｄから離間して露出した状態となる構成として説明したが、このような構成に限定されることはない。封水筒１０３は、保持部材１０４に対して正規の位置に取り付けられている場合に、凹部１０３ｅの一部が保持部材１０４の凸部１０４ｄに挿入された位置から離間して露出し、その凹部１０３ｅの露出した部分に対して、目皿１０５の突起部１０５ｃを挿入する構成としてもよい。
【００５１】
また、実施形態では、固定部材に相当する挟持部１０４Ｋを、保持部材１０４の凸部１０４ｄと、突出部（内縁１０４ｅ）とによって構成するものとして説明したが、このような構成に限定されることはない。固定部材は、封水筒１０３の外側面１０３ｄに形成するネジ山と、保持部材１０４の内側面１０４ｃに形成するネジ溝とによって構成してもよい。
【符号の説明】
【００５２】
１００    排水トラップ、
１０１    椀、
１０１ａ  縁、
１０１ｅ  貯留部、
１０２    流路筒、
１０３    封水筒、
１０３ｃ  縁、
１０３ｄ  外側面、
１０３ｅ  凹部、
１０４    保持部材、
１０４Ｔ  上面
１０４Ｋ  挟持部（凸部１０４ｄと内縁１０４ｅによって構成する固定部材）、
１０４ｃ  内側面、
１０４ｄ  凸部、
１０４ｅ  内縁（突出部）、
１０５  目皿
１０５Ｔ  上面
１０５ｃ  突起部、
Ｐ１      第１の基準位置｛保持部材１０４の上面１０４Ｔの位置に相当｝、
Ｐ２      第２の基準位置｛目皿１０５の上面１０５Ｔの位置に相当｝。
【図１】
2018071307.tif 000003
【図２】
2018071307.tif 000004
【図３】
2018071307.tif 000005
【図４】
2018071307.tif 000006
【図５】
2018071307.tif 000007
【図６】
2018071307.tif 000008
【図７】
2018071307.tif 000009